(57)【要約】      （修正有）【課題】環境、人体に優しい様々な気ガス溶解機能水の製造において、井戸水や水道水に気ガスを短時間で安全に高効率に溶解することが可能な気液混合装置の提供する。【解決手段】マイナス電位水素水は、０．５ｍｍ〜６．０ｍｍの間隙を設けて複数枚重ねた１．０ｍｍ〜５．０ｍｍの厚さのステンレス合金板に交互に陽極陰極の直流電圧を印加する並列連続電極を特徴とするマイナス電位水素発生電極。【選択図】図１
0003126163.tif 000002
【実用新案登録請求の範囲】
【請求項１】
０．５ｍｍ〜６．０ｍｍの間隙を設けて複数枚重ねた１．０ｍｍ〜５．０ｍｍの厚さのステンレス合金板に交互に陽極陰極の直流電圧を印加する並列連続電極を特徴とするマイナス電位水素発生電極
【請求項２】
一部のステンレス合金板に対にチタン板又は銅板の電極を設けて陽極の直流電圧を印加する並列連続電極を特徴とする請求項１記載のマイナス電位水素発生電極
【考案の詳細な説明】
【技術分野】
【０００１】本考案は、水から水素ガスを発生し溶解する電解装置に関するものである。
【背景技術】
【０００２】２１世紀に入り地球環境にやさしい水素エネルギー技術が盛んに研究されている。同時に環境に優しく、人体に優しい機能水も様々研究されている。工業界では洗浄効果が高い、油脂成分と結合して浮上分離する高酸素水や金属成分除去効果の強い水として水素水が注目されている。活性酸素と中和して健康を保つとされる水素水は大変広がりつつある。水にも酸化還元電位（以下「ＯＲＰ」という）という電気があり、ＯＲＰ値の高い水は他の物質を酸化し易いプラスイオン状態の水で、ＯＲＰ値の低い水は他の物質を還元し易いマイナスイオン状態とされる。電解装置ではプラチナ等の元素金属を用いたものがある。
【考案の開示】
【考案が解決しようとする課題】
【０００３】酸素溶解水は高い電位を持ち、水素溶解水は低い電位を持つ水である。上水道水のＯＲＰは＋４００〜＋８００ｍＶの酸化水であり、健康体の体液は−２００〜＋２００ｍＶである。従来の水素水製法には純水を電気分解し水素ガスを生成して水中に溶解する水素ガス発生器を用いる仕組みと酸性水と塩基水を生成する隔膜を用いた電気分解槽がある。水素ガス発生器ではガス生成原水を１μＳ以下にする必要があるので、水道水から活性炭ろ過や膜ろ過した純水をイオン交換して超純水に精製する付帯設備を要するので大変コストがかかる問題がある。隔膜を用いた電気分解槽では、ペーハー的な酸性水とアルカリ水が生成されるので水量的には半減する。また中性にするために中和剤を要する。プラチナを用いた電解装置では、プラチナは変性なく高性能を示すが高価である問題がある。
【課題を解決するための手段】
【０００４】上記問題を回避し高いマイナス電位と水素発生を達成するためになされた請求項１の考案に係るマイナス電位水素発生電極は、ステンレス合金板を０．６ｍｍ〜６．０ｍｍの間隙を設けて複数枚重ね、一枚置きにプラスとマイナスの１２Ｖ〜２４Ｖの直流電圧を印加する並列連続電極を特徴とするマイナス電位水素発生電極
【考案の効果】
【０００５】本考案はクロム、ニッケル、鉄の合金であるＳＵＳ３０４またはＳＵＳ３１６やＳＵＳ３１７を用いる。クロム、ニッケル、鉄がそれぞれ電子授受に働き、接触通過する水道水を瞬時に低電力で大量の水素と酸素に分解する。検証実験ではＳＵＳ電極間を通過し接触した水は１分間当たり１０ｃｍ程の浮力の大変微細な水素気泡と酸素気泡を生成する。厚み２．０ｍｍ幅４０ｍｍ長さ４００ｍｍのＳＵＳ３０４電極７枚を用いた電極間隙を２．８ｍｍにセットした６隙間の電解装置に直流１２Ｖを加え１０リットル毎分の水道水を通した場合では、二次直流電流は９．８Ａ、一次交流電流は０．７Ａで水素濃度ＤＨは０．５ｍｇ／Ｌ、酸化還元電位ＯＲＰはマイナス４０５ｍＶを示す。電極間隙を４．８ｍｍにすると二次直流電流は５．２Ａ、一次交流電流は０．４５Ａで水素濃度ＤＨは０．３８ｍｇ／Ｌ、酸化還元電位ＯＲＰはマイナス３３５ｍＶを示す。停水時には運転電流は１割程上昇する。
厚み２．０ｍｍ幅１００ｍｍ長さ１００ｍｍＳＵＳ３０４電極９枚の電極で間隙を２．８ｍｍにセットした８隙間のマイナス電位水素発生電極を、ｐＨ７．２の水道水１５リットルを汲んだバケツに設置し直流１２Ｖを加えると、即時微細な気泡を生じ始め、一分経過時ＯＲＰはマイナス２５０ｍＶ、ｐＨは７．２。二分経過時ＯＲＰはマイナス３００ｍＶ、ｐＨは７．２で気泡により水全体が乳白色に見える。三分経過時ＯＲＰはマイナス３５０ｍＶ、ｐＨは７．２。四分経過時ＯＲＰはマイナス４００ｍＶ、ｐＨは７．２のままである。このマイナス電位水素水をスポンジにとり油性マジック落書きを消すことが出来る。
酸性雨により車にこびりつく水垢も、水垢取りを用いずに簡単に取ることが出来る。
風呂も同様に実験、給湯ＯＲＰ電位プラス５００ｍＶが給湯完了時にはプラス２００ｍＶ、その後１時間ほど経過するとマイナス１００ｍＶ近辺になる。
運転時状態で入浴すると湯泉は微細気泡が溶融し乳白色に映る。ＯＲＰは人体から酸化電位がマイナス電位の湯に引っ張られプラス５０ｍＶ程度を指す。マイナス電位湯泉に浸かると体内まで温まり湯冷めが無く、肌はしっとりとし翌日もツルツルの肌状態を保つ。髪はサラサラとなる。バスタブも清浄され洗浄手間が大幅に軽減できる。追い炊き時にはボイラー配管内の清浄化に働くと共に酸化腐食を予防する。残水洗濯では洗剤は不要であった。
また通常は３００ｍＶ程度の空気が、浴室内空気はマイナスイオン化しＯＲＰはプラス１００ｍＶ。厚み２．０ｍｍ幅４０ｍｍ長さ４００ｍｍのＳＵＳ３０４電極７枚を用いた電極間隙を２．８ｍｍにセットした６隙間の電解装置に直流１２Ｖを加え１０リットル毎分で５０トンのピット水を６０日間循環運転で通した電極を分解確認したが、ＳＵＳ電極表面は電食変化ない触媒作用で水のみを改質、ピット水循環ろ過器を逆洗すると普段よりも大量の汚れた逆洗水排水となった。また深さ４ｍのピット底（水圧約０．０４Ｍｐａ）に設けると電流は２割ほど上昇。微細な気泡が不純物を抱き込み上昇してくることが判った。シャーレに上水道、水素添加マイナス電位水素水、軟水、電解マイナス電位水素水を取りクリップピンを投入したサビ実験では、水道水が３日目でサビが生じ１４日目で全体が錆びた。軟水では７日目にサビが生じ３０日後もその状態で推移した。水素添加及び電解マイナス電位水素水では３０日経過後においてもサビは発生無くピカピカ状態を保った。
電解マイナス電位水素水に数匹の魚を入れて一ヶ月間生体実験では全匹共なんら問題なく生息した。
本考案のマイナス電位水素発生電極では純水装置や超純水装置等の多くの付帯設備を用いずにピット水や水道水をそのまま省電力、ローコスト、インライン省スペースのワンパスで大量にｐＨ中性のままで速やかに電解でき、大量のマイナス電位水素水を生成することができるので、電気さえあれば車のバッテリーからどこでも簡単にマイナス電位水素水を作ることができる。風呂のような滞留水を長時間電解した場合に水中溶存マグネシウムが酸化マグネシウムに、溶存カルシウムが酸化カルシウムとなり、水が若干黄ばむので、請求項２のようにＳＵＳ電極に対しチタン電極を組み合わせることで黄ばみ到達時間を大幅に遅延できる。また清掃においてはＳＵＳ電極に対し銅電極を組み合わせ、銅電極にプラス電気を印加することで銅イオンの発生により細菌を滅菌することが出来る。マイナス電位水素水は物質の酸化低減と共にマイナスイオン効果で消臭作用もある。健康に影響を及ぼすとされる溶存活性酸素も抑制される。実験ではシリカや炭化カルシウムの除去、配管内部の清浄化、機械加工材の清浄に効果が見られる。無味無毒の溶存水素濃度が高いため気中酸素の溶解遅延に働き酸化しにくい中性の安全な水に生成され、プール・大衆浴場・医療機器や精密機器の洗浄、食品加工・製造、清涼飲料水、農業や工業用水の水質改善に用いることができる。取れにくい油汚れが洗剤を用いない状況下でかなり落ちる。水中生息する陰性グラム細菌の繁殖抑制と生存低減があり、エンドトキシン（毒素）低減の有用性がある（鈴鹿医療科学大学で検証）。洗浄消臭力が高いので環境破壊の一つである界面活性剤の使用量を低減でき、リネン業界や工業界で用いる事ができる。
【実施例】本考案の実施の形態を図１の組立側面展開図を以って説明する。
ステンレス板電極１の結線部２を一枚毎に交互とし、各電極の間隙に絶縁スペーサー５を挟み電極組付け孔６に組付けボルト７を通して複数枚を組み付ける。一枚毎左右になった結線部２の穴に結線ボルト３を、それぞれ通して導通し口出し線８と結んで、結線水切り部４で水切り加工を行う（図３に記載）。チタン又は銅電極９をステンレス板電極１の一部に対に組付ける（図２）。
図２の水素溶解還元水製造装置のフロー図を以って説明する。
口出し線８を直流電源１０に結び、入水路１１より水を通し出水路１２からマイナス電位水素水を得る
【図面の簡単な説明】
【０００６】
【図１】本考案のマイナス電位水素発生電極の組立側面展開図
【図２】請求項２の側面図
【図３】マイナス電位水素水製造装置のフロー図
【符号の説明】
【０００７】  １  ステンレス板電極
２  結線部
３  結線ボルト
４  結線水切り部
５  絶縁スペーサー
６  電極組付け孔
７  組付けボルト
８  口出し線
９  チタン又は銅電極
１０  直流電源
１１  入水路
１２  出水路
【図１】
0003126163.tif 000003
【図２】
0003126163.tif 000004
【図３】
0003126163.tif 000005
【手続補正書】
【提出日】平成18年6月16日(2006.6.16)
【手続補正１】
【補正対象書類名】実用新案登録請求の範囲
【補正対象項目名】請求項２
【補正方法】変更
【補正の内容】
【請求項２】
チタン板又は銅板又はカーボン板の電極を設けた並列連続電極を特徴とする請求項１記載のマイナス電位水素発生電極